(57)【要約】【課題】既に登録されているワンタッチダイヤルのダイヤル番号から宛先となるダイヤル番号を選択する際における、誤選択を防止すること。【解決手段】選択部１０５は、宛先記憶部１０１に記憶されている宛先情報から、送信先の宛先名称を取得し、宛先名称記憶部１０２に記憶されている宛先名称情報から、仮想上の宛先名称を取得し、これらを表示部１０６に表示させる。入力部１０７は、これらの中から、宛先として選択する宛先名称の入力を受け付ける。選択部１０５は、宛先として選択された宛先名称と一致する送信先の宛先名称が、宛先記憶部１０１に記憶されている宛先情報に含まれている場合に、送信部１１０に、送信データを送信させる。【選択図】図１
2012249151.tif 000002
【特許請求の範囲】
【請求項１】
送信データを送信する送信先の宛先名称及び送信先識別コードを含む宛先情報を記憶する宛先記憶部と、
仮想上の宛先名称を含む宛先名称情報を記憶する宛先名称記憶部と、
表示部と、
入力部と、
送信部と、
選択部と、を備え、
前記選択部は、前記宛先情報から前記送信先の宛先名称を取得し、前記宛先名称情報から前記仮想上の宛先名称を取得し、前記取得された送信先の宛先名称及び仮想上の宛先名称を、前記表示部に表示させ、
前記入力部は、前記表示された送信先の宛先名称及び仮想上の宛先名称の中から、宛先として選択する宛先名称の入力を受け付け、
前記選択部は、前記宛先として選択された宛先名称と一致する送信先の宛先名称が前記宛先情報に含まれている場合に、前記宛先情報から、前記宛先として選択された宛先名称と一致する送信先の宛先名称に対応する送信先識別コードを特定し、前記送信部に、前記特定された送信先識別コードへ、前記送信データを送信させること
を特徴とする情報送信装置。
【請求項２】
前記選択部は、前記選択された宛先名称と一致する送信先の宛先名称が前記宛先情報に存在しない場合には、前記表示部に、警告画面を表示させること
を特徴とする請求項１に記載の情報送信装置。
【請求項３】
前記選択部は、前記宛先情報から取得された送信先の宛先名称とは異なる仮想上の宛先名称を、前記宛先名称情報から取得すること
を特徴とする請求項１又は２に記載の情報送信装置。
【請求項４】
前記選択部は、前記宛先情報から取得された送信先の宛先名称に類似する仮想上の宛先名称を、前記宛先名称情報から取得すること
を特徴とする請求項３に記載の情報送信装置。
【請求項５】
前記送信先の宛先名称は、送信先の第１部分名称及び送信先の第２部分名称により構成され、
前記仮想上の宛先名称は、仮想上の第１部分名称及び仮想上の第２部分名称により構成され、
前記選択部は、前記宛先情報から前記送信先の第１部分名称を取得し、前記宛先名称情報から前記仮想上の第１部分名称を取得し、前記取得された送信先の第１部分名称及び仮想上の第１部分名称を、前記表示部に表示させ、
前記入力部は、前記表示された送信先の第１部分名称及び仮想上の第１部分名称の中から、宛先として選択する第１部分名称の入力を受け付け、
前記選択部は、前記宛先情報から前記送信先の第２部分名称を取得し、前記宛先名称情報から前記仮想上の第２部分名称を取得し、前記取得された送信先の第２部分名称及び仮想上の第２部分名称を、前記表示部に表示させ、
前記入力部は、前記表示された送信先の第２部分名称及び仮想上の第２部分名称の中から、宛先として選択する第２部分名称の入力を受け付け、
前記選択部は、前記宛先として選択された第１部分名称と、前記宛先として選択された第２部分名称と、により構成される宛先名称と一致する送信先の宛先名称が前記宛先情報に含まれている場合には、前記宛先情報より、前記宛先として選択された第１部分名称と、前記宛先として選択された第２部分名称と、により構成される宛先名称と一致する送信先の宛先名称に対応する送信先識別コードを特定し、前記送信部に、前記特定された送信先識別コードへ、前記送信データを送信させること
を特徴とする請求項１に記載の情報送信装置。
【請求項６】
送信データを送信する送信先の宛先名称及び送信先識別コードを含む宛先情報を記憶する宛先記憶部と、
仮想上の宛先名称を含む宛先名称情報を記憶する宛先名称記憶部と、
表示部と、
入力部と、
送信部と、
選択部と、を備え、
前記選択部は、前記宛先情報から前記送信先の宛先名称を取得し、前記取得された送信先の宛先名称を、前記表示部に表示させ、
前記入力部は、前記表示された送信先の宛先名称の中から、宛先として選択する送信先の宛先名称の入力を受け付け、
前記選択部は、前記宛先情報から前記送信先の宛先名称を取得し、前記宛先名称情報から前記仮想上の宛先名称を取得し、前記取得された送信先の宛先名称及び仮想上の宛先名称を、前記表示部に表示させ、
前記入力部は、前記表示された送信先の宛先名称及び仮想上の宛先名称の中から、確認対象として選択する宛先名称の入力を受け付け、
前記選択部は、
前記確認対象として選択された宛先名称と一致する送信先の宛先名称が前記宛先情報に含まれているか否かを確認する処理、
前記確認対象として選択された宛先名称と一致する送信先の宛先名称が前記宛先情報に含まれている場合に、前記確認対象として選択された宛先名称と、前記宛先として選択された送信先の宛先名称とが一致するか否かを判断する処理、及び、
前記確認対象として選択された宛先名称と、前記宛先として選択された送信先の宛先名称とが一致する場合に、前記宛先情報から前記宛先として選択された送信先の宛先名称に対応する送信先識別コードを特定し、前記送信部に、前記特定された送信先識別コードへ、前記送信データを送信させる処理、を行うこと
を特徴とする情報送信装置。
【請求項７】
前記選択部は、前記確認対象として選択された宛先名称と一致する送信先の宛先名称が前記宛先情報に含まれていない場合、又は、前記確認対象として選択された宛先名称と、前記宛先として選択された送信先の宛先名称とが一致しない場合には、警告画面を、前記表示部に表示させること
を特徴とする請求項６に記載の情報送信装置。
【請求項８】
前記選択部は、前記宛先情報から取得された送信先の宛先名称とは異なる仮想上の宛先名称を、前記宛先名称情報から取得すること
を特徴とする請求項６又は７に記載の情報送信装置。
【請求項９】
前記選択部は、前記宛先情報から取得された送信先の宛先名称に類似する仮想上の宛先名称を、前記宛先名称情報から取得すること
を特徴とする請求項８に記載の情報送信装置。
【請求項１０】
前記送信先の宛先名称は、送信先の第１部分名称及び送信先の第２部分名称により構成され、
前記仮想上の宛先名称は、仮想上の第１部分名称及び仮想上の第２部分名称により構成され、
前記選択部は、前記宛先情報から前記送信先の第１部分名称を取得し、前記宛先名称情報から前記仮想上の第１部分名称を取得し、前記取得された送信先の第１部分名称及び仮想上の第１部分名称を、前記表示部に表示させる処理と、
前記入力部は、前記表示された送信先の第１部分名称及び仮想上の第１部分名称の中から、確認対象として選択する第１部分名称の入力を受け付け、
前記選択部は、前記宛先情報から前記送信先の第２部分名称を取得し、前記宛先名称情報から前記仮想上の第２部分名称を取得し、前記取得された送信先の第２部分名称及び仮想上の第２部分名称を、前記表示部に表示させ、
前記入力部は、前記表示された送信先の第２部分名称及び仮想上の第２部分名称の中から、確認対象として選択する第２部分名称の入力を受け付け、
前記選択部は、前記確認対象として選択された第１部分名称と、前記確認対象として選択された第２部分名称と、により構成される宛先名称を、前記確認対象として選択された宛先名称とすること
を特徴とする請求項６に記載の情報送信装置。
【発明の詳細な説明】
【技術分野】
【０００１】
本発明は、情報を送信する情報送信装置に関する。
【背景技術】
【０００２】
従来、ファクシミリ装置など画像送信装置である情報送信装置では、ダイヤル番号などの送信先識別コードである宛先を入力し、該宛先に画像データの送信を行っていたが、ユーザによる誤操作の結果、ユーザが所望する宛先とは異なる宛先に画像データが送信されてしまう誤送信が、問題になっている。
これに対して、特許文献１に記載された画像送信装置は、既に通信が行われた相手先の送信先識別コードであるダイヤル番号及びＩＤを取得して、ワンタッチダイヤル用のデータとして記憶することで、ワンタッチダイヤルの登録時の誤入力を防止している。
【先行技術文献】
【特許文献】
【０００３】
【特許文献１】特開平１０−２２９４４１号公報
【発明の概要】
【発明が解決しようとする課題】
【０００４】
しかしながら、従来の情報送信装置では、宛先選択時にワンタッチキーのキーの選択を誤ると誤送信が発生する。
そこで、本発明は、既に登録されているワンタッチダイヤルの送信先識別コードから宛先となる送信先識別コードを選択する際における、誤選択を防止することを目的とする。
【課題を解決するための手段】
【０００５】
本発明の一態様に係る情報送信装置は、送信データを送信する送信先の宛先名称及び送信先識別コードを含む宛先情報を記憶する宛先記憶部と、仮想上の宛先名称を含む宛先名称情報を記憶する宛先名称記憶部と、表示部と、入力部と、送信部と、選択部と、を備え、前記選択部は、前記宛先情報から前記送信先の宛先名称を取得し、前記宛先名称情報から前記仮想上の宛先名称を取得し、前記取得された送信先の宛先名称及び仮想上の宛先名称を、前記表示部に表示させ、前記入力部は、前記表示された送信先の宛先名称及び仮想上の宛先名称の中から、宛先として選択する宛先名称の入力を受け付け、前記選択部は、前記宛先として選択された宛先名称と一致する送信先の宛先名称が前記宛先情報に含まれている場合に、前記宛先情報から、前記宛先として選択された宛先名称と一致する送信先の宛先名称に対応する送信先識別コードを特定し、前記送信部に、前記特定された送信先識別コードへ、前記送信データを送信させることを特徴とする。
【発明の効果】
【０００６】
本発明の一態様によれば、既に登録されているワンタッチダイヤルの送信先識別コードから宛先となる送信先識別コードを選択する際における、誤選択を防止することができる。
【図面の簡単な説明】
【０００７】
【図１】実施の形態１及び実施の形態２に係る画像送信装置の構成を概略的に示す機能ブロック図である。
【図２】実施の形態１に係る画像送信装置の外形を概略的に示す概略外観図である。
【図３】実施の形態１における宛先情報の一例を示す概略図である。
【図４】実施の形態１における仮想第１部分名称情報の一例を示す概略図である。
【図５】実施の形態１における仮想第２部分名称情報の一例を示す概略図である。
【図６】実施の形態１に係る画像送信装置が画像データを送信する際の処理を示すフローチャートである。
【図７】実施の形態１における第１リスト画面の概略図である。
【図８】実施の形態１における第２リスト画面の概略図である。
【図９】実施の形態１における警告画面の概略図である。
【図１０】実施の形態１における類似第１部分名称取得処理を示すフローチャートである。
【図１１】実施の形態１における類似第２部分名称取得処理を示すフローチャートである。
【図１２】実施の形態２に係る画像送信装置が画像データを送信する際の処理を示すフローチャートである。
【図１３】実施の形態２における宛先名称確認処理を示すフローチャートである。
【発明を実施するための形態】
【０００８】
実施の形態１．
図１は、実施の形態１に係る画像送信装置１００の構成を概略的に示す機能ブロック図である。画像送信装置１００は、宛先記憶部１０１と、宛先名称記憶部１０２と、宛先選択部１０３と、画像読取部１０８と、画像データ格納部１０９と、送信部１１０とを備える。また、宛先選択部１０３は、登録部１０４と、選択部１０５と、表示部１０６と、入力部１０７とを備える。画像送信装置１００は、ネットワーク１２０に接続されており、ネットワーク１２０に画像データを送信する。なお、図１の括弧内の符号は、実施の形態２における構成を示す。
【０００９】
図２は、画像送信装置１００の外形を概略的に示す概略外観図である。画像送信装置１００は、表示部１０６と、入力部１０７と、画像読取部１０８とを備えており、ネットワーク１２０に接続されている。画像送信装置１００は、例えば、ファクシミリ装置、ＭＦＰ（Ｍｕｌｔｉ  Ｆｕｎｃｔｉｏｎ  Ｐｅｒｉｐｈｅｒａｌ）又は複合機により実現される。なお、図２の括弧内の符号は、実施の形態２における構成を示す。
【００１０】
図１に戻り、宛先記憶部１０１は、画像データを送信する送信先の宛先名称及び送信先識別コードである送信番号を含む宛先情報を記憶する。ここで、本実施の形態においては、宛先名称は、第１部分名称及び第２部分名称の組み合わせにより構成されているものとする。例えば、宛先名称が人名である場合には、苗字を第１部分名称とし、名前を第２部分名称とする。また、宛先名称が会社名である場合には、会社名を構成する文字列を、意味又は音の分かれ目等により前半部分と後半部分とに分け、前半部分を第１部分名称とし、後半部分を第２部分名称とする。なお、宛先名称が会社名である場合には、会社名の内、業種名を除いた部分を第１部分名称とし、業種名を第２部分名称としてもよい。また、本実施の形態においては、宛先情報は、ユーザが登録するものとする。
【００１１】
図３は、宛先情報ＤＤＴの一例を示す概略図である。宛先情報ＤＤＴは、第１部分名称欄ＤＤＴ１と、第２部分名称欄ＤＤＴ２と、ＦＡＸ番号欄ＤＤＴ３とを有するテーブル形式の情報である。
【００１２】
第１部分名称欄ＤＤＴ１は、宛先名称を構成する第１部分名称を格納する。例えば、宛先名称が人名である場合には、苗字が格納される。また、宛先名称が会社名である場合には、会社名の前半部分、例えば、会社名「○○建設」の内の、「○○」の部分が格納される。なお、第１部分名称欄ＤＤＴ１に格納された第１部分名称を送信先の第１部分名称ともいう。
【００１３】
第２部分名称欄ＤＤＴ２は、第１部分名称欄ＤＤＴ１に格納された第１部分名称に対応する第２部分名称を格納する。例えば、宛先名称が人名である場合には、名前が格納される。また、宛先名称が会社名である場合には、会社名の後半部分、例えば、会社名「○○建設」の内の、「建設」の部分が格納される。なお、第２部分名称欄ＤＤＴ２に格納された第２部分名称を送信先の第２部分名称ともいう。
【００１４】
ＦＡＸ番号欄ＤＤＴ３は、第１部分名称欄ＤＤＴ１及び第２部分名称欄ＤＤＴ２で特定される宛先名称で示される宛先に画像データを送信するための送信番号を格納する。本実施の形態においては、送信番号はＦＡＸ番号である。
【００１５】
なお、宛先記憶部１０１は、一例として、フラッシュメモリ等の書き換え可能な不揮発性メモリ、又は、ハードディスク等の記憶装置により実現することができる。
【００１６】
図１に戻り、宛先名称記憶部１０２は、仮想上の宛先名称を含む宛先名称情報を記憶する。例えば、宛先名称記憶部１０２は、図４に示されている仮想第１部分名称情報ＶＦＮと、図５に示されている仮想第２部分名称情報ＶＳＮとを記憶する。言い換えると、本実施形態においては、仮想第１部分名称情報ＶＦＮ及び仮想第２部分名称情報ＶＳＮにより、宛先名称情報が構成されているものとする。なお、宛先名称記憶部１０２には、予め宛先名称情報が記憶されているものとする。
【００１７】
図４は、仮想第１部分名称情報ＶＦＮの一例を示す概略図である。仮想第１部分名称情報ＶＦＮは、第１部分名称欄ＶＦＮ１と、既登録フラグ欄ＶＦＮ２とを有するテーブル形式の情報である。
【００１８】
第１部分名称欄ＶＦＮ１は、仮想上の宛先名称を構成する第１部分名称を格納する。なお、第１部分名称欄ＶＦＮ１に格納された第１部分名称を仮想上の第１部分名称ともいう。
【００１９】
既登録フラグ欄ＶＦＮ２は、第１部分名称欄ＶＦＮ１に格納された第１部分名称が、送信先の宛先名称を構成する第１部分名称として、宛先記憶部１０１にも記憶されているか否かを示す既登録情報である既登録フラグを格納する。ここで、本実施の形態においては、既登録フラグ欄ＶＦＮ２に「黒丸」が格納されている場合には、第１部分名称欄ＶＦＮ１に格納された第１部分名称が、送信先の宛先名称を構成する第１部分名称として、宛先記憶部１０１にも記憶されていることを示すものとする。
【００２０】
図５は、仮想第２部分名称情報ＶＳＮの一例を示す概略図である。仮想第２部分名称情報ＶＳＮは、第２部分名称欄ＶＳＮ１と、既登録フラグ欄ＶＳＮ２とを有するテーブル形式の情報である。
【００２１】
第２部分名称欄ＶＳＮ１は、仮想上の宛先名称を構成する第２部分名称を格納する。なお、第２部分名称欄ＶＳＮ１に格納された第２部分名称を仮想上の第２部分名称ともいう。
【００２２】
既登録フラグ欄ＶＳＮ２は、第２部分名称欄ＶＳＮ１に格納された第２部分名称が、送信先の宛先名称を構成する第２部分名称として、宛先記憶部１０１にも記憶されているか否かを示す既登録情報である既登録フラグを格納する。ここで、本実施の形態においては、既登録フラグ欄ＶＳＮ２に「黒丸」が格納されている場合には、第２部分名称欄ＶＳＮ１に格納された第２部分名称が、送信先の宛先名称を構成する第２部分名称として、宛先記憶部１０１にも記憶されていることを示すものとする。
【００２３】
なお、宛先名称記憶部１０２は、一例として、フラッシュメモリ等の書き換え可能な不揮発性メモリ、又は、ハードディスク等の記憶装置により実現することができる。
また、宛先名称記憶部１０２に記憶されている仮想第１部分名称情報ＶＦＮは、図４に示すようなテーブル形式の情報としたが、例えば、第１部分名称欄ＶＦＮ１に格納されている第１部分名称をＲＯＭ（Ｒｅａｄ  Ｏｎｌｙ  Ｍｅｍｏｒｙ）等の読み出し専用の不揮発性メモリに格納し、既登録フラグ欄ＶＦＮ２に格納されている既登録フラグをこの不揮発性メモリとは異なる別のメモリに格納し、これらをリンクさせてもよい。また、仮想第２部分名称情報ＶＳＮについても、同様である。
【００２４】
図１に戻り、宛先選択部１０３は、送信先の宛先名称及び仮想上の宛先名称を含むリストから、ユーザが画像データを送信する宛先の選択を受け付け、選択された宛先名称が画像データの送信先として登録されている宛先名称である場合に、選択された宛先名称に対応する送信番号に画像データを送信する処理を行う。
【００２５】
登録部１０４は、宛先記憶部１０１に記憶されている宛先情報ＤＤＴ、及び宛先名称記憶部１０２に記憶されている宛先名称情報を管理する処理を行う。例えば、登録部１０４は、表示部１０６及び入力部１０７を介して、ユーザより、宛先情報ＤＤＴに、宛先名称及びＦＡＸ番号を追加する指示の入力を受け付けると、これらの情報を宛先情報ＤＤＴに格納する処理を行う。また、登録部１０４は、表示部１０６及び入力部１０７を介して、ユーザより、宛先情報ＤＤＴに格納されている宛先名称及びＦＡＸ番号の少なくとも何れか一方を修正する指示の入力を受け付けると、指示された情報を修正する処理を行う。さらに、登録部１０４は、表示部１０６及び入力部１０７を介して、ユーザより、宛先情報ＤＤＴに格納されている宛先名称及びＦＡＸ番号を削除する指示の入力を受け付けると、指示された情報を削除する処理を行う。さらにまた、登録部１０４は、宛先記憶部１０１に格納されている宛先情報ＤＤＴが更新されると、宛先情報ＤＤＴの更新に対応させて、宛先名称記憶部１０２に記憶されている仮想第１部分名称情報ＶＦＮの既登録フラグ欄ＶＦＮ２、及び仮想第２部分名称情報ＶＳＮの既登録フラグ欄ＶＳＮ２を更新する処理を行う。
【００２６】
選択部１０５は、画像データを送信する際に、宛先記憶部１０１に記憶されている宛先情報ＤＤＴ、及び宛先名称記憶部１０２に記憶されている宛先名称情報から、送信先の宛先名称及び仮想上の宛先名称を含むリストを生成して、このリストを表示部１０６に表示させる処理を行う。また、選択部１０５は、表示部１０６及び入力部１０７を介して、ユーザがリストより選択した宛先名称が、宛先情報ＤＤＴに格納されているか否かを確認する処理を行う。そして、選択部１０５は、ユーザが選択した宛先名称が、宛先情報ＤＤＴに格納されている場合には、ユーザが選択した宛先名称に対応するＦＡＸ番号へ、画像データを送信部１１０に送信させる処理を行う。一方、選択部１０５は、ユーザが選択した宛先名称が、宛先情報ＤＤＴに格納されていない場合には、表示部１０６に警告画面を表示させる処理を行う。
【００２７】
表示部１０６は、選択部１０５又は登録部１０４からの指示に応じて、指示された画面を表示する。
入力部１０７は、ユーザからの操作の入力を受け付ける。
【００２８】
画像読取部１０８は、原稿を光学的に読み取って、読み取られたデータからデジタルの画像データを生成する。
画像データ格納部１０９は、画像読取部１０８で生成された画像データを格納する。なお、画像データ格納部１０９は、一例として、ＤＲＡＭ（Ｄｙｎａｍｉｃ  Ｒａｎｄｏｍ  Ａｃｃｅｓｓ  Ｍｅｍｏｒｙ）等の揮発性メモリ、フラッシュメモリ等の書き換え可能な不揮発性メモリ、又は、ハードディスク等の記憶装置により実現することができる。
【００２９】
送信部１１０は、画像データ格納部１０９に格納された画像データを、選択部１０５により指示されたＦＡＸ番号へ送信する。なお、本実施の形態においては、画像データをファクシミリ送信で送信するように構成されているが、例えば、画像データを、電子メール送信、ＦＴＰ（Ｆｉｌｅ  Ｔｒａｎｓｆｅｒ  Ｐｒｏｔｏｃｏｌ）送信、又はＣＩＦＳ（Ｃｏｍｍｏｎ  Ｉｎｔｅｒｎｅｔ  Ｆｉｌｅ  Ｓｙｓｔｅｍ）送信で送信する用に構成してもよい。この場合、宛先記憶部１０１には、ＦＡＸ番号の代わりに、電子メールアドレス、ＵＲＩ（Ｕｎｉｆｏｒｍ  Ｒｅｓｏｕｒｃｅ  Ｉｄｅｎｔｉｆｉｅｒ）等が記憶される。
【００３０】
次に、ユーザが宛先を選択する場合における画像送信装置１００の動作について説明する。
図６は、実施の形態１に係る画像送信装置１００が画像データを送信する際の処理を示すフローチャートである。図６のフローチャートは、例えば、ユーザが、入力部１０７を介して、画像データの送信指示を入力することにより開始される。
【００３１】
まず、選択部１０５は、宛先記憶部１０１に記憶されている宛先情報ＤＤＴより、第１部分名称欄ＤＤＴ１に格納されている第１部分名称を全て取得する（Ｓ１０）。ここで、同じ第１部分名称については、一つのものとして扱う。例えば、図３に示されている宛先情報ＤＤＴの第１部分名称欄ＤＤＴ１には、「山田」、「鈴木」及び「佐藤」の３つの第１部分名称が格納されており、選択部１０５は、これらの３つの第１部分名称を全て取得する。
【００３２】
次に、選択部１０５は、宛先名称記憶部１０２に記憶されている仮想第１部分名称情報ＶＦＮより、ステップＳ１０で取得された第１部分名称に類似する第１部分名称を取得する類似第１部分名称取得処理を行う（Ｓ１１）。なお、ステップＳ１１での処理については、図１０を用いて後述する。ここでは、例えば、選択部１０５は、ステップＳ１０で取得された「山田」に類似する第１部分名称として、「石田」、「吉田」及び「池田」を、ステップＳ１０で取得された「佐藤」に類似する第１部分名称として、「後藤」、「伊藤」及び「遠藤」を、ステップＳ１０で取得された「鈴木」に類似する第１部分名称として、「鈴本」、「鈴江」及び「鈴原」を取得するものとする。
【００３３】
次に、選択部１０５は、ステップＳ１０及びＳ１１で取得された第１部分名称をリスト化して、宛先として第１部分名称の選択を受け付けるための第１リスト画面を生成し、この第１リスト画面を表示部１０６に表示させる（Ｓ１２）。
【００３４】
図７は、ステップＳ１２で表示される第１リスト画面ＦＬＰの概略図である。第１リスト画面ＦＬＰは、ステップＳ１０及びＳ１１で取得された、各々の第１部分名称を選択するための選択ボタンが配置された選択領域ＦＬＰ１を備える。ここで、ステップＳ１０で取得された第１部分名称の選択ボタンに隣接した位置に、この第１部分名称に類似する第１部分名称の選択ボタンが配置されてもよく、また、第１部分名称の選択ボタンはランダムに配置されてもよい。そして、ユーザは、この選択領域ＦＬＰ１から、宛先とする第１部分名称が表示されたボタンを選択する。なお、ステップＳ１０及びＳ１１で取得された第１部分名称が、一つの画面に収まらない場合には、次のページに、残りの第１部分名称が表示される。ユーザは、スクロールボタンＦＬＰ２を押圧することにより、次のページを表示部１０６に表示させることができる。
【００３５】
図６に戻り、次に、選択部１０５は、第１部分名称が選択されたか否かを判断し（Ｓ１３）、選択された場合（ステップＳ１３でＹｅｓ）には、ステップＳ１４の処理に進む。
【００３６】
ステップＳ１４では、選択部１０５は、ステップＳ１３で選択された第１部分名称を、選択第１部分名称として保持する。
【００３７】
次に、選択部１０５は、宛先記憶部１０１に記憶されている宛先情報ＤＤＴより、ステップＳ１４で保持された選択第１部分名称に対応する第２部分名称を全て取得する（Ｓ１５）。例えば、選択部１０５は、選択第１部分名称が「山田」であるとすると、図３に示されている宛先情報ＤＤＴにおいて、第１部分名称欄ＤＤＴ１に「山田」が格納されている行の第２部分名称欄ＤＤＴ２に格納されている「太郎」、「一雄」及び「建設」を取得する。
【００３８】
次に、選択部１０５は、宛先名称記憶部１０２に記憶されている仮想第２部分名称情報ＶＳＮより、ステップＳ１５で取得された第２部分名称に類似する第２部分名称を取得する類似第２部分名称取得処理を行う（Ｓ１６）。なお、ステップＳ１６での処理については、図１１を用いて後述する。ここでは、例えば、選択部１０５は、ステップＳ１５で取得された「太郎」に類似する第２部分名称として、「太朗」、「次郎」及び「吾郎」を、ステップＳ１５で取得された「一雄」に類似する第２部分名称として、「一郎」、「一男」及び「一夫」を、ステップＳ１５で取得された「建設」に類似する第２部分名称として、「建築」、「建材」及び「建一」を取得するものとする。
【００３９】
次に、選択部１０５は、ステップＳ１５及びＳ１６で取得された第２部分名称をリスト化して、宛先としての第２部分名称の選択を受け付けるための第２リスト画面を生成し、この第２リスト画面を表示部１０６に表示させる（Ｓ１７）。
【００４０】
図８は、ステップＳ１７で表示される第２リスト画面ＳＬＰの概略図である。第２リスト画面ＳＬＰは、ステップＳ１５及びＳ１６で取得された、各々の第２部分名称を選択するための選択ボタンが配置された選択領域ＳＬＰ１を備える。ここで、ステップＳ１５で取得された第２部分名称の選択ボタンに隣接した位置に、この第２部分名称に類似する第２部分名称の選択ボタンが配置されてもよく、また、第２部分名称の選択ボタンは、ランダムに配置されてもよい。そして、ユーザは、この選択領域ＳＬＰ１から、宛先とする第２部分名称が表示されたボタンを選択する。なお、ステップＳ１５及びＳ１６で取得された第２部分名称が、一つの画面に収まらない場合には、次のページに、残りの第２部分名称が表示される。ユーザは、スクロールボタンＳＬＰ２を押圧することにより、次のページを表示部１０６に表示させることができる。
【００４１】
図６に戻り、次に、選択部１０５は、第２部分名称が選択されたか否かを判断し（Ｓ１８）、選択された場合（ステップＳ１８でＹｅｓ）には、ステップＳ１９の処理に進む。
【００４２】
ステップＳ１９では、選択部１０５は、ステップＳ１８で選択された第２部分名称を、選択第２部分名称として保持する。
【００４３】
次に、選択部１０５は、選択第１部分名称と選択第２部分名称とを組み合わせた宛先名称が、宛先記憶部１０１に記憶されている宛先情報ＤＤＴに登録されているか否かを確認する（Ｓ２０）。例えば、選択部１０５は、図３に示されている宛先情報ＤＤＴの第１部分名称欄ＤＤＴ１に選択第１部分名称が格納されている行があるか否かを確認する。そして、選択部１０５は、第１部分名称欄ＤＤＴ１に選択第１部分名称が格納されている行がある場合には、この行の第２部分名称欄ＤＤＴ２に選択第２部分名称が格納されている行があるか否かを確認する。そして、選択部１０５は、第１部分名称欄ＤＤＴ１に選択第１部分名称が格納され、かつ、第２部分名称欄ＤＤＴ２に選択第２部分名称が格納されている行がある場合には、選択第１部分名称と選択第２部分名称とを組み合わせた宛先名称が、宛先情報ＤＤＴに登録されていると判断する。
【００４４】
そして、選択部１０５は、選択第１部分名称と選択第２部分名称とを組み合わせた宛先名称が、宛先情報ＤＤＴに登録されていると判断した場合（ステップＳ２１でＹｅｓ）には、ステップＳ２２の処理に進み、選択第１部分名称と選択第２部分名称とを組み合わせた宛先名称が、宛先情報ＤＤＴに登録されていないと判断した場合（ステップＳ２１でＮｏ）には、ステップＳ２３の処理に進む。
【００４５】
ステップＳ２２では、選択部１０５は、ユーザが選択した宛先名称が正しいものと判断し、画像データの送信処理を実行する。例えば、選択部１０５は、宛先情報ＤＤＴより、第１部分名称欄ＤＤＴ１に選択第１部分名称が格納され、かつ、第２部分名称欄ＤＤＴ２に選択第２部分名称が格納されている行のＦＡＸ番号欄ＤＤＴ３よりＦＡＸ番号を取得して、このＦＡＸ番号を送信部１１０に与え、画像データを送信するように指示する。
【００４６】
一方、ステップＳ２３では、選択部１０５は、ユーザが選択した宛先名称が誤っているものと判断し、エラー処理を実行する。例えば、選択部１０５は、警告画面を生成し、この警告画面を表示部１０６に表示させる。
【００４７】
図９は、ステップＳ２３で表示される警告画面ＷＲＰの概略図である。警告画面ＷＲＰは、ユーザに宛先名称の選択が間違っていることを通知するための通知領域ＷＲＰ１を備える。
【００４８】
以上のように、本実施の形態では、類似する宛先名称が含まれるリストの中から選択された宛先名称が、送信先の宛先名称であるか否かを確認することで、誤った宛先に画像データを送信することを防止することができる。
【００４９】
図１０は、図６のステップＳ１１における類似第１部分名称取得処理を示すフローチャートである。宛先名称記憶部１０２には、図４に示されているように、送信先の宛先情報とは関連のない仮想上の第１部分名称を格納した仮想第１部分名称情報ＶＦＮが記憶されており、選択部１０５は、この仮想第１部分名称情報ＶＦＮより、送信先の第１部分名称に類似する仮想上の第１部分名称を取得する。
【００５０】
まず、選択部１０５は、図６のステップＳ１０で取得された全ての第１部分名称について、類似する第１部分名称を取得する処理が終了しているか否かを判断する（Ｓ３０）。そして、選択部１０５は、取得された全ての第１部分名称について類似する第１部分名称を取得する処理が終了していない場合、言い換えると、図６のステップＳ１０で取得された第１部分名称の内、類似する第１部分名称を取得する処理が終了していない第１部分名称が存在する場合（ステップＳ３０でＮｏ）には、ステップＳ３１の処理に進む。一方、選択部１０５は、取得された全ての第１部分名称について類似する第１部分名称を取得する処理が終了している場合、言い換えると、図６のステップＳ１０で取得された第１部分名称の内、類似する第１部分名称を取得する処理が終了していない第１部分名称が存在しない場合（ステップＳ３０でＹｅｓ）には、処理を終了し、図６のステップＳ１２の処理に進む。
【００５１】
ステップＳ３１では、選択部１０５は、図６のステップＳ１０で取得された第１部分名称の内、類似する第１部分名称を取得する処理が行われていない第１部分名称を一つ指定する。
【００５２】
次に、選択部１０５は、ステップＳ３１で指定された第１部品名称について、予め定められた数、類似する第１部品名称を保持したか否かを判断する（Ｓ３２）。そして、選択部１０５は、予め定められた数、類似する第１部品名称を保持した場合（ステップＳ３２でＹｅｓ）には、ステップＳ３０の処理に戻り、予め定められた数、類似する第１部品名称を保持していない場合（ステップＳ３２でＮｏ）には、ステップＳ３３の処理に進む。
【００５３】
ステップＳ３３では、選択部１０５は、宛先名称記憶部１０２に記憶されている仮想第１部分名称情報ＶＦＮより、ステップＳ３１で指定された第１部品名称に類似する第１部品名称を一つ特定する。ここで、選択部１０５は、ステップＳ３１で指定された第１部品名称で使用されている文字と同じ文字を一部に使用している等、ステップＳ３１で指定された第１部品名称と、仮想第１部分名称情報ＶＦＮの第１部分名称欄ＶＦＮ１に格納されている第１部品名称と、の一部が一致している場合等に、これらを類似と判断する。なお、選択部１０５は、ステップＳ３１で指定された第１部品名称の文字と、仮想第１部分名称情報ＶＦＮの第１部分名称欄ＶＦＮ１に格納されている第１部品名称の文字とは異なっているが、ステップＳ３１で指定された第１部品名称の発音と、仮想第１部分名称情報ＶＦＮの第１部分名称欄ＶＦＮ１に格納されている第１部品名称の発音とが一致する場合に、これらを類似と判断してもよい。
【００５４】
次に、選択部１０５は、ステップＳ３３で特定された第１部品名称が、送信先の宛先名称の第１部品名称と一致しているか否かを判断する。例えば、選択部１０５は、宛先名称記憶部１０２に記憶されている仮想第１部品名称情報ＶＦＮにおいて、第１部分名称欄ＶＦＮ１にステップＳ３３で特定された第１部品名称が格納されている行を特定し、特定された行の既登録フラグ欄ＶＦＮ２に「黒丸」が格納されている場合には、ステップＳ３３で特定された第１部品名称が、送信先の宛先名称の第１部品名称と一致していると判断する。
【００５５】
そして、選択部１０５は、ステップＳ３３で特定された第１部品名称が、送信先の宛先名称の第１部品名称と一致している場合（ステップＳ３４でＹｅｓ）には、ステップＳ３３の処理に戻り、別の類似する第１部品名称を一つ特定する。一方、選択部１０５は、ステップＳ３３で特定された第１部品名称が、送信先の宛先名称の第１部品名称と一致していない場合（ステップＳ３４でＮｏ）には、ステップＳ３５の処理に進む。
【００５６】
ステップＳ３５では、選択部１０５は、ステップＳ３３で特定された第１部品名称を保持する。
そして、選択部１０５は、ステップＳ３５で保持された第１部品名称の数をカウントして（Ｓ３６）、ステップＳ３２の処理に戻る。
【００５７】
以上のようにして、ステップＳ３５で保持された第１部品名称が、図６のステップＳ１０で取得された第１部分名称に類似する第１部品名称となる。
【００５８】
図１１は、図６のステップＳ１６における類似第２部分名称取得処理を示すフローチャートである。宛先名称記憶部１０２には、図５に示されているように、送信先の宛先情報とは関連のない仮想上の第２部分名称を格納した仮想第２部分名称情報ＶＳＮが記憶されており、選択部１０５は、この仮想第２部分名称情報ＶＳＮより、送信先の第２部分名称に類似する仮想上の第２部分名称を取得する。
【００５９】
まず、選択部１０５は、図６のステップＳ１５で取得された全ての第２部分名称について、類似する第２部分名称を取得する処理が終了しているか否かを判断する（Ｓ４０）。そして、選択部１０５は、取得された全ての第２部分名称について類似する第２部分名称を取得する処理が終了していない場合、言い換えると、図６のステップＳ１５で取得された第２部分名称の内、類似する第２部分名称を取得する処理が終了していない第２部分名称が存在する場合（ステップＳ４０でＮｏ）には、ステップＳ４１の処理に進む。一方、選択部１０５は、取得された全ての第１部分名称について類似する第１部分名称を取得する処理が終了している場合、言い換えると、図６のステップＳ１５で取得された第２部分名称の内、類似する第２部分名称を取得する処理が終了していない第２部分名称が存在しない場合（ステップＳ４０でＹｅｓ）には、処理を終了し、図６のステップＳ１７の処理に進む。
【００６０】
ステップＳ４１では、選択部１０５は、図６のステップＳ１５で取得された第２部分名称の内、類似する第２部分名称を取得する処理が行われていない第２部分名称を一つ指定する。
【００６１】
次に、選択部１０５は、ステップＳ４１で指定された第２部品名称について、予め定められた数、類似する第２部品名称を保持したか否かを判断する（Ｓ４２）。そして、選択部１０５は、予め定められた数、類似する第２部品名称を保持した場合（ステップＳ４２でＹｅｓ）には、ステップＳ４０の処理に戻り、予め定められた数、類似する第２部品名称を保持していない場合（ステップＳ４２でＮｏ）には、ステップＳ４３の処理に進む。
【００６２】
ステップＳ４３では、選択部１０５は、宛先名称記憶部１０２に記憶されている仮想第２部分名称情報ＶＳＮより、ステップＳ４１で指定された第２部品名称に類似する第２部品名称を一つ特定する。ここで、選択部１０５は、ステップＳ４１で指定された第２部品名称で使用されている文字と同じ文字を一部に使用している等、ステップＳ４１で指定された第２部品名称と、仮想第２部分名称情報ＶＳＮの第２部分名称欄ＶＳＮ１に格納されている第２部品名称と、の一部が一致している場合等に、これらを類似と判断する。なお、選択部１０５は、ステップＳ４１で指定された第２部品名称の文字と、仮想第２部分名称情報ＶＳＮの第２部分名称欄ＶＳＮ１に格納されている第２部品名称の文字と、は異なっているが、ステップＳ４１で指定された第２部品名称の発音と、仮想第２部分名称情報ＶＳＮの第２部分名称欄ＶＳＮ１に格納されている第２部品名称の発音と、が一致する場合に、これらを類似と判断してもよい。
【００６３】
次に、選択部１０５は、ステップＳ４３で特定された第２部品名称が、送信先の宛先名称の第２部品名称と一致しているか否かを判断する。例えば、選択部１０５は、宛先名称記憶部１０２に記憶されている仮想第２部品名称情報ＶＳＮにおいて、第２部分名称欄ＶＳＮ１にステップＳ３３で特定された第２部品名称が格納されている行を特定し、特定された行の既登録フラグ欄ＶＳＮ２に「黒丸」が格納されている場合には、ステップＳ４３で特定された第２部品名称が、送信先の宛先名称の第２部品名称と一致していると判断する。
【００６４】
そして、選択部１０５は、ステップＳ４３で特定された第２部品名称が、送信先の宛先名称の第２部品名称と一致している場合（ステップＳ４４でＹｅｓ）には、ステップＳ４３の処理に戻り、別の類似する第２部品名称を一つ特定する。一方、選択部１０５は、ステップＳ４３で特定された第２部品名称が、送信先の宛先名称の第２部品名称と一致していない場合（ステップＳ４４でＮｏ）には、ステップＳ４５の処理に進む。
【００６５】
ステップＳ４５では、選択部１０５は、ステップＳ４３で特定された第２部品名称を保持する。
そして、選択部１０５は、ステップＳ４５で保持された第２部品名称の数をカウントして（Ｓ４６）、ステップＳ４２の処理に戻る。
【００６６】
以上のようにして、ステップＳ４５で保持された第２部品名称が、図６のステップＳ１５で取得された第２部分名称に類似する第２部品名称となる。
【００６７】
以上のように、実施の形態１に係る画像送信装置１００によれば、ユーザによる選択誤りや記憶違い等により宛先名称の選択を間違えても、２段階の選択により宛先の選択誤りを検出することができる。このため、実施の形態１に係る画像送信装置１００は、誤選択による誤送信を防止できるようになり、利便性を維持したまま安全性を向上させることができる。
【００６８】
実施の形態２．
次に、実施の形態２について説明する。図１に示すように、実施の形態２に係る画像送信装置２００は、宛先記憶部１０１と、宛先名称記憶部１０２と、宛先選択部２０３と、画像読取部１０８と、画像データ格納部１０９と、送信部１１０とを備える。実施の形態２に係る画像送信装置２００は、宛先選択部２０３において、実施の形態１に係る画像送信装置１００と異なっている。
【００６９】
実施の形態２における宛先選択部２０３は、登録部１０４と、選択部２０５と、表示部１０６と、入力部１０７とを備える。実施の形態２における宛先選択部２０３は、選択部２０５での処理において、実施の形態１における宛先選択部１０３と異なっている。
【００７０】
実施の形態２における選択部２０５は、画像データを送信する際に、宛先記憶部１０１に記憶されている宛先情報ＤＤＴから、送信先の宛先名称のリストを生成して、このリストを表示部１０６に表示させる処理を行う。次に、選択部２０５は、表示部１０６及び入力部１０７を介して、ユーザがリストより選択した宛先名称を確認する処理を行う。そして、選択部２０５は、ユーザが選択した宛先名称の確認が成功した場合に、送信部１１０に画像データを送信させる処理を行う。一方、選択部２０５は、ユーザが選択した宛先名称の確認が成功しなかった場合には、表示部１０６に警告画面を表示させる処理を行う。
【００７１】
次に、ユーザが画像データを送信する際の画像送信装置２００の動作について説明する。
【００７２】
図１２は、実施の形態２に係る画像送信装置２００が画像データを送信する際の処理を示すフローチャートである。図１２のフローチャートは、例えば、ユーザが、入力部１０７を介して、画像データの送信指示を入力することにより開始される。
【００７３】
選択部２０５は、宛先記憶部１０１に記憶されている宛先情報ＤＤＴより、送信先の宛先名称を全て取得する（Ｓ５０）。例えば、選択部２０５は、図３に示されている宛先情報ＤＤＴにおいて、第１部分名称欄ＤＤＴ１及び第２部分名称欄ＤＤＴ２の同じ行に格納されている第１部分名称及び第２部分名称を取得し、これらを組み合わせることで宛先名称とする。
【００７４】
次に、選択部２０５は、ステップＳ５０で取得された送信先の宛先名称をリスト化して、画像データを送信する送信先の宛先名称の選択を受け付けるための宛先名称リスト画面を生成し、この宛先名称リスト画面を表示部１０６に表示させる（Ｓ５１）。この表示内容は、一般的な宛先選択表示と同じである。なお、選択部２０５は、一つの画面内に全ての送信先の宛先名称を表示できない場合には、次のページに、残りの送信先の宛先名称を表示させる。例えば、ユーザは、スクロールボタンを押圧することにより、次のページを表示部１０６に表示させることができる。
【００７５】
次に、選択部２０５は、送信先の宛先名称が選択されたか否かを判断し（Ｓ５２）、選択された場合（ステップＳ５２でＹｅｓ）には、ステップＳ５３の処理に進む。
【００７６】
ステップＳ５３では、選択部２０５は、ステップＳ５２で選択された送信先の宛先名称を、選択宛先名称として保持する。
【００７７】
次に、選択部２０５は、実施の形態１とほぼ同様の処理により、ユーザからの宛先名称の選択を受け付けて、選択された宛先名称を確認する宛先名称確認処理を行う。この宛先名称確認処理については、図１３を用いて後述する。
【００７８】
次に、選択部２０５は、ステップＳ５４の宛先名称確認処理で、宛先名称の確認に成功したか否かを判断する（Ｓ５５）。そして、選択部２０５は、宛先名称の確認に成功した場合（ステップＳ５５でＹｅｓ）には、ステップＳ５６の処理に進み、宛先名称の確認に失敗した場合（ステップＳ５５でＮｏ）には、ステップＳ５８の処理に進む。
【００７９】
ステップＳ５６では、選択部２０５は、ステップＳ５３で保持された選択宛先名称と、ステップＳ５４で確認された宛先名称とが一致するか否かを判断する。そして、選択部２０５は、これらが一致する場合（ステップＳ５６でＹｅｓ）には、ステップＳ５７の処理に進み、これらが一致しない場合（ステップＳ５６でＮｏ）には、ステップＳ５８の処理に進む。
【００８０】
ステップＳ５７では、選択部２０５は、ユーザが選択した選択宛先名称が正しいものと判断し、画像データの送信処理を実行する。例えば、選択部２０５は、宛先情報ＤＤＴより、第１部分名称欄ＤＤＴ１及び第２部分名称欄ＤＤＴ２に選択宛先名称が格納されている行のＦＡＸ番号欄ＤＤＴ３よりＦＡＸ番号を取得して、このＦＡＸ番号を送信部１１０に与え、画像データを送信するように指示する。
【００８１】
一方、ステップＳ５８では、選択部２０５は、ユーザが選択した選択宛先名称が誤っているものと判断し、エラー処理を実行する。例えば、選択部２０５は、警告画面を生成し、この警告画面を表示部１０６に表示させる。ここで表示される警告画面は、図９に示されている警告画面ＷＲＰと同様のものでよい。
【００８２】
図１３は、図１２のステップＳ５４における宛先名称確認処理を示すフローチャートである。図１３に示されているフローチャートのステップＳ１０〜ステップＳ２１までの処理は、図６に示されているフローチャートのステップＳ１０〜ステップＳ２１までの処理と同様である。
【００８３】
ステップＳ２０においては、選択部２０５は、選択第１部分名称と選択第２部分名称とを組み合わせた宛先名称が、宛先情報ＤＤＴに登録されているか否かを確認する。そして、選択部２０５は、選択第１部分名称と選択第２部分名称とを組み合わせた、確認対象の宛先名称が、宛先情報ＤＤＴに登録されていることを確認した場合（ステップＳ２１でＹｅｓ）には、ステップＳ６２の処理に進み、選択第１部分名称と選択第２部分名称とを組み合わせた、確認対象の宛先名称が、宛先情報ＤＤＴに登録されていないことを確認した場合（ステップＳ２１でＮｏ）には、ステップＳ６３の処理に進む。
【００８４】
ステップＳ６２では、選択部２０５は、確認対象の宛先名称の確認が成功と判断し、図１２のステップＳ５５の処理に進む。
【００８５】
一方、ステップＳ６３では、選択部２０５は、確認対象の宛先名称の確認が失敗と判断し、図１２のステップＳ５５の処理に進む。
【００８６】
以上のように、実施の形態２では、ユーザが選択した宛先名称を、類似した宛先名称が含まれているリストから特定された宛先名称で確認することができるため、より高精度に誤選択を防止することができる。
例えば、実施の形態２では、ユーザが最初に「山田太郎」という誤った宛先名称を選択した場合でも、宛先名称の確認処理において、類似する苗字が含まれているリストより「佐藤」を選択し、類似する名前が含まれているリストより「太郎」を選択することで、最初に選択された宛先名称が誤りであったことを検出することができる。以上のように、実施の形態２に係る画像送信装置２００においては、例えば、「佐藤太郎」の他に「山田太郎」という同じ名前の人物が登録されており、偶然に苗字を選び間違えた場合でも誤りを検出することができる。
【００８７】
以上に記載した実施の形態１及び２においては、画像送信装置１００、２００から画像データを送信するように構成されているが、送信するデータは、画像データに限られない。このため、画像送信装置１００、２００は、情報送信装置であってもよい。情報送信装置は、送信データを送信するが、送信データには、画像データが含まれていてもよい。
【００８８】
以上に記載した実施の形態１及び２においては、送信先の宛先名称及び仮想上の宛先名称を、第１部分名称及び第２部分名称に分けて、処理を行っているが、このように分けなくてもよい。例えば、選択部１０５、２０５は、宛先記憶部１０１から送信先の宛先名称を取得し、取得された送信先の宛先名称に類似する仮想上の宛先名称を宛先名称記憶部１０２から取得する。そして、選択部１０５、２０５は、取得されたこれらの送信先の宛先名称及び仮想上の宛先名称をリスト化したリスト画面を生成して、このリスト画面を表示部１０６に表示させる。そして、選択部１０５、２０５は、このリスト画面において、入力部１０７を介して、宛先として選択する宛先名称の入力を受け付けて、この宛先として選択された宛先名称が、宛先情報ＤＤＴに格納されているか否かを確認する。なお、送信先の宛先名称に類似する仮想上の宛先名称を取得する際には、実施の形態１及び２に記載されているように、第１部分名称及び第２部分名称に分けて、類似するか否かを判断するようにしてもよい。この場合、第１部分名称同士が類似の場合及び第２部分名称同士が類似の場合の少なくとも何れか一方が満たされるときに、送信先の宛先名称と仮想上の宛先名称とが類似すると判断すればよい。また、選択部１０５、２０５は、送信先の宛先名称と仮想上の宛先名称とが類似するか否かを、第１部分名称及び第２部分名称に分けずに判断してもよい。この場合には、選択部１０５、２０５は、一例として、送信先の宛先名称の一部と、仮想上の宛先名称の一部とが重複している場合に、類似と判断すればよい。
【００８９】
以上に記載した実施の形態においては、送信先識別コードとして送信番号が用いられているが、送信先識別コードは、電子メールアドレス等のように画像データを送信することのできる他のデータであってもよい。
【符号の説明】
【００９０】
１００，２００：画像送信装置、  １０１：宛先記憶部、  １０２：宛先名称記憶部、  １０３，２０３：宛先選択部、  １０４：登録部、  １０５，２０５：選択部、  １０６：表示部、  １０７：入力部、  １０８：画像読取部、  １０９：画像データ格納部、  １１０：送信部。
【図１】
2012249151.tif 000003
【図２】
2012249151.tif 000004
【図３】
2012249151.tif 000005
【図４】
2012249151.tif 000006
【図５】
2012249151.tif 000007
【図６】
2012249151.tif 000008
【図７】
2012249151.tif 000009
【図８】
2012249151.tif 000010
【図９】
2012249151.tif 000011
【図１０】
2012249151.tif 000012
【図１１】
2012249151.tif 000013
【図１２】
2012249151.tif 000014
【図１３】
2012249151.tif 000015